(57)【要約】【課題】  部材を、ビスとメネジによって固定する場合に、締め付け固定の機能が十分に作用して緩みが極めて生じ難く、部材の構成が簡単で組み立て・製造が簡便であるネジ固定構成を提供する。【解決手段】    被固定部材であるスピーカ３のフレーム９に凹部１１を形成し、ワッシャ５に凹部１１と嵌合する突起部１２を形成してビス４の回転に対して係止し合う手段を構成させ、且つ、ワッシャ５に凹部１３を形成し、ビスの頭部１４に凹部１３と嵌合する突起部１５を形成してビス４の回転に対して係止し合う手段を構成させ、更に、ビス４の鬼目ナット６の締め付け回転方向に対して凹部１１の深さがより一層深さを増すように形成した。【選択図】  図１
2008267492.tif 000002
【特許請求の範囲】
【請求項１】
メネジと、そのメネジに螺合して、被固定部材を締付け固定する頭部付きのビスと、そのビスと前記被固定部材の間に介在されるワッシャが備えられ、
前記ビスの頭部と前記ワッシャのいずれか一方の側に第一の突起部が、他方の側にその突起部を嵌合係止する第一の係止部がそれぞれ形成され、且つ、前記ワッシャと前記被固定部材のいずれか一方の側に第二の突起部が、他方の側にその突起部を嵌合係止する第二の係止部がそれぞれ形成されて、前記メネジに前記ビスを螺合して、前記被固定部材を締付け固定する位置を取る際に、前記第一の突起部が前記第一の係止部と係止し、且つ、前記第二の突起部が前記第二の係止部と係止するように構成され、
更に、前記第一の係止部と前記第二の係止部の少なくとも一つは凹部で、且つ、他は凹部、切欠き、通孔のいずれかであって、前記凹部は前記メネジに対する前記ビスの締め付け回転の方向に沿って深くなるように形成されていることを特徴とする部材のネジ固定構成。
【請求項２】
前記第一の係止部又は／及び前記第二の係止部が凹部である場合に、前記凹部の前記メネジに対する前記ビスの締め付け回転の方向において、前記凹部は、その凹部に対応する突起部が落ち込むように段差形状に形成されていることを特徴とする請求項１に記載の部材のネジ固定構成。
【発明の詳細な説明】
【技術分野】
【０００１】
例えば、スピーカをマウント材に取り付け固定する場合、前記マウント材の裏面の側に鬼目ナットを埋め込み、スピーカのフレームに開設された固定用通孔にビスを挿通し、更に、そのビスを前記マウント部材を介して前記鬼目ナットに螺合することによって取り付け固定を行う。
この発明は、このように、被固定部材をマウント材に取り付け固定を行う際には、それら被固定部材及びマウント材にビスが挿通する通孔を開設し、それらの通孔にビスを挿通させ、その挿通出口の側にナット若しくはメネジ部を配設し、前記ビスを前記ナット若しくはメネジ部に螺合することによって取り付け固定を行う部材のネジ固定構成に関する。
【０００２】
特に、この発明は、使用を重ねることによって、或いは、振動等によって取り付け固定を行っているネジの螺合が緩み、結果的に、被取り付け固定部材がマウント材に対して初期の位置から外れることになるが、このネジの螺合の緩みを防止する構成の改良に関する。
【背景技術】
【０００３】
ネジを用いて被固定部材をマウント材に取り付け固定する構成において、ネジの螺合の緩みを防止する発明として、以下に示す文献が知られている。
【０００４】
【特許文献１】特開２００６−１４４８９８号公報
【発明の開示】
【発明が解決しようとする課題】
【０００５】
特開２００６−１４４８９８号公報で開示されている技術は、螺合し合う二つのねじ部４４ａと４８ａのいずれか一方側の部材に緩み止めねじ２４を、他方の部材に収容部２５を設け、緩み止めねじ２４を収容部２５に収容させ、且つ、緩み止めねじ２４の先端２４ａを一方側の部材に当接させることによって、二つのねじ部４４ａと４８ａの緩みを防止する構成になっている。
斯かる構成では、二つのねじ部４４ａと４８ａが相対的に大きいので、緩み止めねじ２４を製造して配設することが可能になっている。
【０００６】
しかしながら、二つのねじ部４４ａと４８ａに該当するオネジ部とメネジ部が小さい場合には、緩み止めねじ２４と収容部２５に該当するねじ部材及び収容部は極めて小さいのでその製造が煩雑であって実用性が低いという問題が生じる。
殊に、緩み止めねじ２４に該当するねじ部材はねじ山を切る必要があって、加工に高い精度が要求され、問題はより一層深刻になる。
【０００７】
この発明は、上記の事情に鑑みて為されたものであり、製造が簡便であって緩み止めの機能が十分に作用する部材のネジ固定構成を提供するものである。
【課題を解決するための手段】
【０００８】
この発明は、ビスをメネジに螺合して締付け固定した際に、その状態を保持するための係止機構が被固定部材とワッシャとの間及びワッシャとビスとの間に介在され、且つ、その係止機構がメネジに対してビスが締め付け方向に螺合するように構成した部材のネジ固定構成である。
その詳細な構成は、メネジと、そのメネジに螺合して、被固定部材を締付け固定する頭部付きのビスと、そのビスと前記被固定部材の間に介在されるワッシャが備えられ、
前記ビスの頭部と前記ワッシャのいずれか一方の側に第一の突起部が、他方の側にその突起部を嵌合係止する第一の係止部がそれぞれ形成され、且つ、前記ワッシャと前記被固定部材のいずれか一方の側に第二の突起部が、他方の側にその突起部を嵌合係止する第二の係止部がそれぞれ形成されて、前記メネジに前記ビスを螺合して、前記被固定部材を締付け固定する位置を取る際に、前記第一の突起部が前記第一の係止部と係止し、且つ、前記第二の突起部が前記第二の係止部と係止するように構成され、
更に、前記第一の係止部と前記第二の係止部の少なくとも一つは凹部で、且つ、他は切欠き若しくは通孔であり、前記凹部は前記メネジに対するビスの締め付け回転の方向に沿って深くなるように形成されたことを特徴とする部材のネジ固定構成である。
【０００９】
ここで、上述した「前記ビスの頭部と前記ワッシャのいずれか一方の側に第一の突起部が、他方の側にその突起部を嵌合係止する第一の係止部がそれぞれ形成され」のより具体的な構成は、ビスの頭部に軸線方向に突出した砲弾形状の突起部を、ワッシャに凹部をそれぞれ形成した組み合わせ、ビスの頭部に半径方向に伸び断面が三角形状の切欠きを、ワッシャに軸線方向に突出する砲弾形状の突起部をそれぞれ形成した組み合わせ等が挙げられる。
上述した「前記ワッシャと前記被固定部材のいずれか一方の側に第二の突起部が、他方の側にその突起部を嵌合係止する第二の係止部がそれぞれ形成され」のより具体的な構成は、ワッシャに軸線方向に突出した砲弾形状の突起部を、被固定部材に凹部をそれぞれ形成した組み合わせ、ワッシャに半径方向に伸び断面が三角形状の切欠きを、被固定部材に軸線方向に突出する砲弾形状の突起部をそれぞれ形成した組み合わせ等が挙げられる。
【００１０】
但し、上記第一の係止部と上記第二の係止部の少なくとも一つは凹部であって、且つ、その凹部は前記メネジに対する前記ビスの締め付け回転の方向に沿って深くなるように形成されている。
これらの組み合わせは、製造加工の容易性、他の部材との配設位置関係等で適宜選択するのが望ましい。
【００１１】
又、メネジは具体的に、ナット、マウント部材の側に形成されたメネジ部、マウント部材に一体的に付設されたナット或いは鬼目ナット等が挙げられる。
ここで、ビスをメネジに螺合させると、第一の突起部が第一の係止部に嵌合係止して、ビスの頭部とワッシャは係止し合い、且つ、第二の突起部が第二の係止部に嵌合係止して、ワッシャと被固定部材は係止し合うことになる。
そして、使用に伴って振動や外力が与えられ、前記ビスが前記メネジ部に対して螺合解除の方向に回転しようとすると、上記第一の係止部又は／及び第二の係止部は凹部であってその凹部は前記メネジに対する前記ビスの締め付け解除の回転方向に沿って浅くなるように形成されているので、上記第一の突起部又は／及び前記第二の突起部はそれぞれが対応する凹部から前記ビスの軸線方向とほぼ平行な方向のより大きな押圧力を受けることになる。
【発明の効果】
【００１２】
この発明は、ビスをメネジに螺合締付けして被固定部材をマウント部材に締付け固定ｋ位置を取らせると、第一の突起部が第一の係止部に嵌合係止してビスの頭部とワッシャは係止し合い、且つ、第二の突起部が第二の係止部に嵌合係止してワッシャと被固定部材は係止し、更に、それら二つの嵌合係止のうちの少なくとも一つにおいて、前記ビスが前記メネジ部に対して螺合解除の方向に回転しようとすると、上記第一の係止部又は／及び第二の係止部は凹部であってその凹部は前記メネジに対する前記ビスの締め付け解除の回転方向に沿って浅く形成されているので、凹部が浅くなれば浅くなるほど嵌合する突起部は前記ビスの軸線方向とほぼ平行な方向のより大きな押圧力を受けることになり、前記螺合を解除する力に抗することになって、前記凹部と対応する突起部の嵌合係止の状態が保持され、結果的に、前記ビスと前記メネジによる部材の取り付け固定の状態が保持され、部材の製造が簡便である部材のネジ固定構成である。
【発明を実施するための最良の形態】
【００１３】
この発明を、以下において、図面と共に発明を実施するための最良の形態に基づき詳述する。しかし、この実施の形態によって、この発明が限定されるものではない。
ネジ固定構成１は、マウント材２に被固定部材（部材）であるスピーカ３を取り付け固定する場合の使用である。
尚、スピーカ３そのものは、この発明では大きな意味を持たないから、スピーカ３の被固定部９のみを図示する。
【００１４】
部材のネジ固定構成１では、図１及び図２に示すように、マウント材２と、スピーカ３と、ビス４と、ワッシャ５及び鬼目ナット６が備えられている。
マウント材２は、スピーカ３が取り付け固定される部材である。マウント材２の裏面の側には、鬼目ナット６を収納固定する円筒形状の凹部７が形成され、且つ、ビス４が挿通する通孔８が凹部７と軸線をほぼ共通して開設されている。
【００１５】
スピーカ３は、スピーカ振動板（図示省略）を中心にほぼ正方形を構成するように、フレームに４個の取り付け用の被固定部９が設けられている。
４個の被固定部９は互いに面一となるように位置しており、図示されている被固定部９に対して、残りの３個の被固定部９も、図１及び図２に示すと同じ状態でマウント材２に取り付け固定されている。
【００１６】
被固定部９には、ビス４が挿通する通孔１０が開設されている。
被固定部９の上面、つまり、ビス４と当接し合う面には通孔１０の円周に沿って、ビス４の鬼目ナット６に螺合する回転方向に末広がりのほぼ滴形状の凹部１１が形成されている。
【００１７】
凹部１１は、通孔１０の軸線（図示省略）を中心として半径方向に切断して得られる断面は、図３及び図４に示すように、ほぼ三角形状である。
又、凹部１１は、通孔１０の円周に沿ってほぼ中央で切断して得られる断面は、図３及び図５に示すように、突起部１２が落ち込むように段差形状に形成され、且つ、鬼目ナット６に螺合する回転方向に沿ってより一層深さが増すように形成されている。
【００１８】
ワッシャ５の凹部１１に対向する部位には、凹部１１と嵌合し得る突起部１２が形成されている。突起部１２は、ワッシャ５の軸線方向に突出し、ほぼ砲弾形状に形成されている。
ワッシャ５の軸線を挟んで突起部１２とほぼ反対の部位の上面に、円錐状に窪んでほぼすり鉢形状の凹部１３が形成されている。
【００１９】
ビス４は、鬼目ナット６と螺合して、ワッシャ５を介して、マウント材２にスピーカ３の被固定部９を締め付け固定するものである。
ビス４は、螺合のための回転力を受ける部分がオネジ部に比して径の大きい頭部１４が備えられており、頭部１４の天面にはビス４を回転させる際にプラスドライバーが嵌合する十字溝（図示省略）が切られている。
【００２０】
ビス４の頭部１４においてワッシャ５の凹部１３と対応する部位には、凹部１３と嵌合し得る突起部１５が形成されている。
尚、スピーカ３の残り３個の被固定部９を締め付け固定する構成も、上記と全く同じものである。
【００２１】
部材のネジ固定構成１は、上述したように構成されている。以下において、その機能を説明する。
ユーザーは、鬼目ナット６をマウント材２の裏面側の凹部７に軸線を合わせて押し込み、更に、木槌を用いてフランジ（図示省略）まで押し入れる。
【００２２】
マウント材２の通孔８にスピーカ３の前記フレームの被固定部９の通孔１０の位置を合わせて、被固定部９をマウント材２に載置する。
続いて、ワッシャ５が挿通されたビス４を鬼目ナット６のメネジ部（図示省略）に螺合させ、更に、プラスドライバを用いて螺合を続ける。
【００２３】
ビス４と鬼目ナット６との螺合が締付け固定する位置となる少し手間で、ユーザーは、ビス４の突起部１５がワッシャ５の凹部１３に嵌合していることを確認する。嵌合していない場合には、ビス４に対してワッシャ５を回転させて嵌合の位置を取らせる。
ここで、ユーザーは、鬼目ナット６に対してビス４を回転させて螺合を続けて締付け固定となる位置に到ると、ワッシャ５の突起部１２は被固定部９に形成されている凹部１１に落ち込んで嵌合された位置を取る。
【００２４】
ユーザーは、支障が来さない範囲でビス４を鬼目ナット６に回転させて螺合を続ける。
ここで、ユーザーはマウント材２に対するスピーカ３の取り付け固定の作業を終える。
スピーカ３の残り３個の被固定部９についても、同様にして、ビス４の突起部１５がワッシャ５の凹部１３に嵌合していることを確認し、ビス４を鬼目ナット６に対して螺合して行くと締付け固定の位置に到ると、ワッシャ５の突起部１２は被固定部９に形成されている凹部１１に嵌合される位置を取る。
【００２５】
ここで、スピーカ３は、マウント部材に２に取り付け固定された状態となる。
この状態で、スピーカ３に配線を行い音声出力のための信号（電流）を送って出力させると、スピーカ３は前記スピーカ振動板が前記電流に対応して振動を生じ、音声を出力する。
【００２６】
このスピーカ振動板の振動及び音声の共鳴による振動によって、マウント材２に振動が生じる。斯かる振動は、前記フレームを介してスピーカ３の被固定部９を取り付け固定しているビス２及び鬼目ナット６にも伝わって、その振動による力はビス２と鬼目ナット６との螺合を解除の方向に作用させる場合も生じる。
【００２７】
しかしながら、ビス４が上記のスピーカ３の前記フレームから振動による力を受け、ビス２が鬼目ナット６との螺合を解除する方向に回転しようとすると、ビス４の突起部１５とワッシャ３の凹部１３が互いに係止し合っているので、前記螺合解除の方向の力はワッシャ５に伝わる。
続いて、ワッシャ５の突起部１２とスピーカ３の凹部１１は互いに係止し合っているので、前記螺合解除の方向の力はスピーカ３の前記フレームに伝わる。
【００２８】
従って、スピーカ３が振動することによって、ビス４に鬼目ナット６との螺合解除の力が作用すると、その螺合解除の力はスピーカ３の前記フレームに作用することになる。
しかし、スピーカ３の前記フレームは上述したように、マウント材２に４箇所で固定されているので、前記螺合解除の力に対してスピーカ３の前記フレームは応力を発生し、スピーカ３の前記フレームが共に回転することがない。
【００２９】
ここで、ビス４が鬼目ナット６に対して螺合解除の方向に回転しようとすると、凹部１１は鬼目ナット６に対するビス４の締め付け解除の回転方向に沿って浅くなるように形成されているので、突起部１２は凹部１１からビス４の軸線方向とほぼ平行な方向のより大きな押圧力を受けることになる。
従って、凹部１１が浅くなれば浅くなるほど嵌合する突起部１２は４ビスの軸線方向とほぼ平行な方向のより大きな押圧力を受けることになり、前記螺合を解除する力に抗することになって、凹部１１と突起部１２の嵌合係止の状態が保持され、結果的に、ビス４と鬼目ナット６による被固定部９のマウント部材２への取り付け固定の状態が保持されることになる。
【００３０】
よって、凹部１１を単に一定の深さで形成する場合に比して、ビス４の鬼目ナット６への締め付け解除の力により強い抗力が働くこととなって、ビス４の鬼目ナット９への螺合固定が保持され、結果的に、被固定部９のマウント部材２への取り付け固定が保持されることになる。
ビス４に作用する螺合解除の力は前記応力で相殺されて、螺合解除されることがないので、スピーカ３はマウント材２に取り付け固定された状態を保持することになり、取り付け固定が解除されて緩んで行くといった状態はより一層生じ難くなる。
【００３１】
又、振動や衝撃等によってビス４が鬼目ナット６に対して締め付け解除の方向に回転して突起部１２が凹部１１に嵌合の解除する方向に移動しても、凹部１１は段差形状に形成されているので突起部１２が凹部１１の段差形状の部位を超えて前記嵌合の解除する方向に移動することは極めて生じ難い。
部材のネジ固定構成１は、上述したように、スピーカ３つまり被固定部材とワッシャ５の間に係止の手段、及び、ワッシャ５とビス４の間に係止の手段をそれぞれ備えただけであって構成が簡便であり、構成部材の製造や加工に高い精度を必要とせず、且つ、組立・製造も簡便である。
【００３２】
上述した部材のネジ固定構成１では、図１及び図２に示すように、凹部１３は単にすり鉢形状に形成されているが、凹部１１と同じように、ビス４の鬼目ナット６の締め付け回転方向に対して深さが増す形状であってもよく、切欠き、通孔であってもよい。
又、凹部１３が凹部１１と同じ形状に形成され、且つ、凹部１１が凹部、切欠き、通孔のいずれかであってもよい。
【００３３】
更に、部材のネジ固定構成１では、被固定部９に係止部である凹部１１が且つ凹部１１に対応する突起部１２がワッシャ５にそれぞれ備えられ、ワッシャ５に係止部である凹部１３が且つ凹部１３に対応する突起部１５がビス４の頭部１４にそれぞれ備えられているが、突起部と係止部の配設される部材が逆の構成であってもよい。    
【図面の簡単な説明】
【００３４】
【図１】この発明を実施するための最良の形態の構成を説明する構成説明図である。
【図２】図１に示す実施するための最良の形態において、ビスを鬼目ナットに螺合してスピーカをマウント部材に取り付け固定した状態を示す断面図である。
【図３】図１に示す実施するための最良の形態において、スピーカの被固定部の斜視図である。
【図４】図３のＡ−Ａ断面図である。
【図５】図３のＢ−Ｂ断面図である。
【符号の説明】
【００３５】
１    ：    部材のネジ固定構成
２    ：    マウント部材
３    ：    スピーカ（被固定部材）
４    ：    ビス
５    ：    ワッシャ
６    ：    鬼目ナット（メネジ）
９    ：    被固定部（フレーム）
１１  ：    凹部（係止部）
１２  ：    突起部
１３  ：    凹部（係止部）
１４  ：    ビスの頭部
１５  ：    突起部
【図１】
2008267492.tif 000003
【図２】
2008267492.tif 000004
【図３】
2008267492.tif 000005
【図４】
2008267492.tif 000006
【図５】
2008267492.tif 000007